(57)【要約】  本発明は、少なくとも第１のスライス（１０）および第２のスライス（３０）の積み重ね（１００）を含む３Ｄ電子モジュールであって、第１のスライス（１０）が、フェース（１０１）に、導電性突起部（４１）の少なくとも１つのセット（４）を有し、第２のスライス（３０）が、スライスの厚さを横断する、絶縁材料の少なくとも１つのゾーン（６１）を含む、３Ｄ電子モジュールに関する。第２のスライス（３０）には、絶縁材料のゾーン（６１）において前記スライスを横断して第１のスライス（１０）の突起部（４１）のセット（４）を収容できる少なくとも１つの導電性要素（３）が含まれる。【選択図】図４
2009517877.tif 000002
【特許請求の範囲】
【請求項１】
少なくとも第１のスライス（１０）および第２のスライス（３０）の積み重ね（１００）を含み、スライスが、前記スライスの１つのフェース（１０１）に電気接続要素（２）を備えたいくつかの電子部品（１）を含む、３Ｄ電子モジュールであって、前記第１のスライス（１０）が、導電性突起部（４１）の少なくとも１つのセット（４）を前記フェース（１０１）に有することと、少なくとも１つの接続要素（２）が、突起部（４１）のセット（４）に接続されることと、前記第２のスライス（３０）が、前記スライスの厚さを横断する、電気絶縁材料の少なくとも１つのゾーン（６１）と、電気絶縁材料のゾーン（６１）において前記スライスを横断する少なくとも１つの導電性要素（３）とを含むことと、前記横断要素（３）および前記突起部（４１）が、それぞれ特定の硬度を有する材料によって構成され、前記第１のスライス（１０）の突起部（４１）のセット（４）が前記第２のスライス（３０）の横断要素（３）に貫入できるように、前記横断要素（３）の前記材料の硬度が、前記突起部（４１）の前記材料の硬度より小さいこととを特徴とする３Ｄ電子モジュール。
【請求項２】
前記要素（２）が、セット（４）に直接接続されることを特徴とする、請求項１に記載の３Ｄ電子モジュール。
【請求項３】
前記第１のスライス（１０）が、少なくとも１つの導電性トラック（７）を前記フェース（１０１）に含むことと、前記要素（２）が、導電性トラック（７）を介してセット（４）に接続されることとを特徴とする、請求項１または２に記載の３Ｄ電子モジュール。
【請求項４】
前記第１のスライス（１０）が、前記スライスの厚さを横断する、電気絶縁材料の少なくとも１つのゾーン（６１）と、前記第１のスライス（１０）の突起部（４１）のセット（４）に接続された、ゾーン（６１）において前記スライスを横断する少なくとも１つの導電性要素（３）とを含むことを特徴とする、請求項１〜３のいずれか一項に記載の３Ｄ電子モジュール。
【請求項５】
前記第１のスライス（１０）が、突起部を有する前記フェース（１０１）に対向する別のフェースを有することと、このスライス（１０）が、前記スライスを横断する導電性要素（３）に接続された少なくとも１つの導電性トラックを、そのもう一方のフェースに含むこととを特徴とする、請求項１〜４に記載の３Ｄ電子モジュール。
【請求項６】
前記第２のスライス（３０）が、前記第１のスライスの突起部の前記セット（４）を収容することができる、収容フェースと呼ばれるフェースを有し、前記第２のスライス（３０）が、横断要素（３）に接続された少なくとも１つの導電性トラック（７）を、前記収容フェースに対向するフェース（３０１）に有することを特徴とする、請求項１〜５のいずれか一項に記載の３Ｄ電子モジュール。
【請求項７】
前記第２のスライス（３０）が、少なくとも１つの電子部品（１）であって、前記対向フェース（３０１）に前記部品の電気接続要素（２）を備えた少なくとも１つの電子部品（１）を含むことを特徴とする、請求項１〜６に記載の３Ｄ電子モジュール。
【請求項８】
前記第２のスライス（３０）の導電性トラック（７）が、前記スライス（３０）の前記部品の前記接続要素（２）に接続されることを特徴とする、請求項１〜７に記載の３Ｄ電子モジュール。
【請求項９】
前記第２のスライス（３０）が、前記対向フェース（３０１）に位置しかつ前記スライスの少なくとも１つの導電性トラック（７）に接続された導電性突起部の少なくとも１つのセット（４）を含むことを特徴とする、請求項１〜８のいずれか一項に記載の３Ｄ電子モジュール。
【請求項１０】
前記第１のスライス（１０）および第２のスライス（３０）の間に位置する少なくとも１つの中間スライス（２０）であって、電気絶縁材料の少なくとも１つのゾーン（６１）と、前記ゾーンを横断する、導電性材料の少なくとも１つの要素（３）と、導電性突起部の少なくとも１つのセット（４）を含む少なくとも１つの中間スライス（２０）をさらに含むことを特徴とする、請求項１〜９のいずれか一項に記載の３Ｄ電子モジュール。
【請求項１１】
前記中間スライス（２０）が、少なくとも１つの部品（１）および／または少なくとも１つの導電性トラック（７）をさらに含むことを特徴とする、請求項１〜１０に記載の３Ｄ電子モジュール。
【請求項１２】
前記横断要素（３）が、金属もしくは金属合金、または導電性接着剤もしくは導電性ポリマーを含むことを特徴とする、請求項１〜１１のいずれか一項に記載の３Ｄ電子モジュール。
【請求項１３】
前記金属または前記金属合金が、酸化しないことを特徴とする、請求項１〜１２に記載の３Ｄ電子モジュール。
【請求項１４】
前記金属が、金またはパラジウムであることを特徴とする、請求項１〜１３に記載の３Ｄ電子モジュール。
【請求項１５】
前記横断要素（３）が、固体であることを特徴とする、請求項１〜１４のいずれか一項に記載の３Ｄ電子モジュール。
【請求項１６】
前記突起部（４１）が、ニッケルを含むことを特徴とする、請求項１〜１５のいずれか一項に記載の３Ｄ電子モジュール。
【請求項１７】
前記突起部（４１）の表面が、金またはパラジウムで作製されることを特徴とする、請求項１〜１６のいずれか一項に記載の３Ｄ電子モジュール。
【請求項１８】
前記接続要素（２）が、パッドかワイヤかまたは接続ボールであることを特徴とする、請求項１〜１７のいずれか一項に記載の３Ｄ電子モジュール。
【請求項１９】
前記突起部（４１）が、５〜２００μｍの高さを有することを特徴とする、請求項１〜１８のいずれか一項に記載の３Ｄ電子モジュール。
【請求項２０】
前記突起部（４１）が、１０〜２５００μｍ2の断面を有することを特徴とする、請求項１〜１９のいずれか一項に記載の３Ｄ電子モジュール。
【請求項２１】
前記横断要素（３）が、直径が１００μｍにほぼ等しいおおむね円形の断面（３１または３２）を有することを特徴とする、請求項１〜２０のいずれか一項に記載の３Ｄ電子モジュール。
【請求項２２】
前記電子部品（１）が、能動または受動部品であることを特徴とする、請求項１〜２１のいずれか一項に記載の３Ｄ電子モジュール。
【請求項２３】
前記電子部品（１）が、センサまたはアクチュエータであることを特徴とする、請求項１〜２２のいずれか一項に記載の３Ｄ電子モジュール。
【請求項２４】
突起部のセット（４）が、１〜５００の突起部（４１）を含むことを特徴とする、請求項１〜２３のいずれか一項に記載の３Ｄ電子モジュール。
【請求項２５】
前記絶縁材料（６）が、ポリマーであることを特徴とする、請求項１〜２４のいずれか一項に記載の３Ｄ電子モジュール。
【請求項２６】
絶縁材料の前記ゾーン（６１）が、前記横断導電性要素（３）の周りで局所的に誘電率を適合させるために、異なる誘電率を有するいくつかの絶縁材料を含むことを特徴とする、請求項１〜２５のいずれか一項に記載の３Ｄ電子モジュール。
【請求項２７】
２〜１００のスライスを含むことを特徴とする、請求項１〜２６のいずれか一項に記載の３Ｄ電子モジュール。
【請求項２８】
スライスが、２５μｍ〜３ｍｍの厚さを有することを特徴とする、請求項１〜２７のいずれか一項に記載の３Ｄ電子モジュール。 
【発明の詳細な説明】
【技術分野】
【０００１】
本発明の分野は、３次元（３Ｄ）電子モジュールの分野である。
【背景技術】
【０００２】
３Ｄ電子モジュールには、電子スライス（ｅｌｅｃｔｒｏｎｉｃ  ｓｌｉｃｅ）の積み重ねが含まれる。スライス５（この例は図１に示す）には、一般に、１つまたは複数の能動部品１ｃ、１ｂもしくは受動部品１ａが含まれるが、これらの部品は、スライスにおけるフェース５１のうちの１つの上を走る電気接続要素２ｃ、２ｂまたは２ａを有し、電気絶縁樹脂６で覆われる。同じフェース５１に位置する１つまたは複数の導電性トラック７が、これらの部品を互いに接続するか、またはこれらの部品を、これらの部品間におけるスライスの電気接続要素に、もしくは相互接続回路へのスライスの接続要素に接続する。
【０００３】
積み重ねの側面、すなわち積み重ねのエッジ５２に位置する導体によってスライスを互いに電気的に接続することは周知である。
【０００４】
これは、特に、２つの部品がそれぞれ２つのスライスの中央に位置する場合に、これらの部品を接続するための大きな電気接続長さに帰着する。接続部が長ければ長いほど、接続時間が増加し、これは、３Ｄモジュールの性能を全体的に低減する。
【０００５】
さらに、側面に位置する導体の数は、特に、必要なピッチを考慮すると、これらの側面の面積によって制限される。したがって、導体の数に対するこの制限によって、ルーティング可能な信号の数が制限される。
【０００６】
接続パッドを設けられ、かつ第１のスライスの下面に位置する第１のチップを、第１のスライスの下に位置する第２のスライスの上面における、同様に接続パッドを設けられ、かつ第１のチップに対向して位置する第２のチップと接続する別の解決法が存在する。第１のチップのパッドには、先の尖った突起部が含まれる。両方のチップに対して、約０．２μｍの厚さのアルミニウムパッドが、数十オングストロームの非常に硬い天然アルミニウム酸化層で従来的に覆われる。第１のチップの突起部の厚さは、約３０μｍである。２つのチップを接続するために、２つのチップは、それらのうちの１つの突起部がもう一方のパッドに埋め込まれるように、重ね合わされて次に加圧される。この解決法によって、接続の長さを低減することが可能になり、かつルーティング可能信号の数に対する制限を回避することが可能になるが、しかしモジュールのスライス数は、本質的に２つに制限される。この解決法には、別の不都合がある。電気接続を生成するために、圧力は、突起部が非常に硬い酸化層を横断するように十分でなければならない。ある場合において、パッドのわずかな厚さを考えてみると、圧力は、チップにひび割れを生じる。
【０００７】
チップの積み重ねの特定の場合であって、チップがさらに専用チップである場合に関する別の解決法が存在する。各チップには、一方のフェースにおけるオスコネクタすなわちこの例では硬い先端を備えた突起部と、もう一方のフェースにおける、メスコネクタを構成する横断電極と、が含まれる。突起部および電極は、チップを構成するシリコンから形成される。モジュールを作製するためにチップが重ね合わされる場合には、電気接続を実現するような方法で、一方のチップの突起部が、もう一方のチップの電極に埋め込まれる。この接続は、極端な位置決め精度のための代価によってのみ実現される。さらに、得られたモジュールは、専用である各チップの高コストゆえに製造が高価であり、市販のチップまたは受動部品を用いて製造することができない。
【発明の開示】
【発明が解決しようとする課題】
【０００８】
本発明の目的は、上述の不都合を有しない３Ｄモジュールを製造することである。
【課題を解決するための手段】
【０００９】
より正確には、本発明の主題は、少なくとも第１のスライスおよび第２のスライスの積み重ねを含む３Ｄ電子モジュールであって、第１のスライスが、導電性突起部の少なくとも１つのセットを１つのフェースに有し、第２のスライスが、スライスの厚さを横断する、絶縁材料の少なくとも１つのゾーンを含む３Ｄ電子モジュールである。この３Ｄ電子モジュールは、第２のスライスが、絶縁材料のゾーンにおいて前記スライスを横断しかつ第１のスライスの突起部のセットを収容できる少なくとも１つの導電性要素を含むことを主として特徴とする。
【００１０】
このようにして、スライスの数を制限されないモジュールであって、たとえスライスの中央であっても２つのスライス間に短い電気接続部を有し、かつルーティング可能信号の数が制限されないので高電気接続密度を有するモジュールが得られる。
【００１１】
このモジュールは、市販のチップで作製できるので安価である。
【００１２】
好ましくは、第１のスライスには、少なくとも１つの電子部品であって、前記フェースに部品の電気接続要素を備えた少なくとも１つの電子部品が含まれ、この接続要素は、突起部のセットに接続される。
【００１３】
本発明の１つの特徴によれば、この要素は、直接および導電性トラックを介してセットに接続される。
【００１４】
第１のスライスには、場合により、スライスの厚さを横断する、電気絶縁材料の少なくとも１つのゾーンと、第１のスライスにおける突起部のセットに接続された、ゾーンにおいて前記スライスを横断する少なくとも１つの導電性要素と、が含まれる。突起部を有するフェースに対向するもう一方のフェースにおいて、この第１のスライスには、場合により、前記スライスを横断する要素に接続された少なくとも１つの導電性トラックが含まれる。
【００１５】
本発明の別の特徴によれば、第２のスライスは、第１のスライスの突起部のセットを収容できる、収容フェースと呼ばれるフェースを有し、このスライスは、横断要素に接続された少なくとも１つの導電性トラックを、収容フェースに対向するフェースに有する。
【００１６】
有利なことに、第２のスライスには、少なくとも１つの電子部品であって、前記対向フェースに、場合により第２のスライスの導電性トラックに接続される部品の電気接続要素を備えた少なくとも１つの電子部品が含まれる。
【００１７】
本発明の一実施形態によれば、第２のスライスには、対向フェースに位置しかつ前記スライスの少なくとも１つの導電性トラックに接続された導電性突起部の少なくとも１つのセットが含まれる。
【００１８】
好ましくは、この実施形態には、第２のスライスに対しては第１のスライスであり、かつ／または第１のスライスに対しては第２のスライスである少なくとも１つの中間スライスがさらに含まれる。
【００１９】
この中間スライスには、少なくとも１つの部品および／または少なくとも１つの導電性トラックが含まれる。
【００２０】
本発明の特徴によれば、横断要素には、金属もしくは金属合金、または導電性接着剤もしくは導電性ポリマーが含まれる。
【００２１】
金属または金属合金は、酸化しないのが好ましい。それらは、たとえば金またはパラジウムである。
【００２２】
本発明の別の特徴によれば、突起部には、ニッケルが含まれる。突起部の表面は、たとえば金またはパラジウムで作製される。それらは、高さが５〜２００μｍであり、断面が１０〜２５００μｍ2である。
【００２３】
有利なことに、横断要素は、直径が１００μｍにほぼ等しいおおむね円形の断面を有する。
【００２４】
突起部のセットには、たとえば１〜５００の突起部が含まれる。
【００２５】
本発明による３Ｄモジュールには、典型的には２〜１００のスライスが含まれる。
【００２６】
スライスは、厚さが２５μｍ〜３ｍｍであるのが好ましい。
【００２７】
スライスの横断要素および突起部は、それぞれ、特定の硬度を有する材料によって構成される。横断要素の材料の硬度は、突起部の材料の硬度より小さく、別のスライスの突起部が横断要素に貫入するために印加される圧力を最小限にすることができる。
【００２８】
３Ｄモジュールを作製するために、スライスは、重ね合わされて互いに加圧される。横断要素の材料の低硬度ゆえに、突起部は、それらに面する横断要素に容易に貫入し、したがって、高い圧力を印加することは必要ではない。したがって、部品は、この段階中に、ひび割れする危険にも機械的に脆弱になる危険にもさらされない。
【００２９】
本発明の他の特徴および利点は、添付の図面に関連して非限定的な例として提供される次の詳細な説明を読むことによって、明らかになるであろう。
【発明を実施するための最良の形態】
【００３０】
図のそれぞれにおいて、同じ要素は、同じ参照符号によって示される。
【００３１】
第１に、２つのスライスすなわち第１のスライスおよび第２のスライスの積み重ねを含むモジュールを考える。
【００３２】
本発明によれば、第１のスライス１０（この例は図２で説明する）は、フェース１０１に導電性突起部４１の１つ（または複数の）セット４を含む。
【００３３】
このスライスには、さらに、少なくとも１つの電子部品１が含まれるのが好ましい。それは、キャパシタ、電気抵抗器、コネクタなどの能動部品または受動部品１ａである。能動部品は、たとえばプラスチックで作製された保護ハウジングに含まれる、たとえばベアチップ１ｃまたはチップ１ｂである。部品は、表面波フィルタまたはアクチュエータなどのセンサとすることができる。電子部品１は、下記のテキストにおいて一般的な方法で考える。各部品１は、１つまたは複数の電気接続要素を備える。電気接続要素２は、たとえば、導電性材料から構成されたパッド２ｃ、ワイヤ２ｂまたはボールである。この要素は、図１において参照符号２ａで示すように部品の側部に配置された場合であっても、スライス１０のフェース１０１上を走る。
【００３４】
プリアンブルで既に言及したように、スライス１０はまた、このフェース１０１に１つまたは複数の導電性トラック７を含む。
【００３５】
突起部のセット４は、電子部品１の電気接続要素２に直接にかまたは導電性トラック７を介して接続される。
【００３６】
図２に示すように、部品１は、通常、たとえばエポキシ樹脂のような誘電性ポリマーなどの電気絶縁材料６で覆われる。したがって、第１のスライスには、スライスの厚さを通して一方のフェースからもう一方のフェースまでスライスを横断する、この材料６だけを含むゾーン６１が存在する。本発明の変形によれば、第１のスライス１０には、ゾーン６１の一側から他側にこのスライスを横断する少なくとも１つの導電性要素３が含まれる。この要素３は、フェース１０１に配置された突起部のセット４に接続される。突起部は、要素３に直接配置されるか、または導電性トラックを介して要素３に接続される。このトラックは、場合によりそれ自体、同じスライスの別の部品の接続要素に接続される。この第１のスライスには、場合により、フェース１０１に対向するフェースに配置された１つまたは複数の導電性トラックが含まれる。
【００３７】
絶縁材料のゾーン６１は、横断要素３の周りで局所的に適応させることができる誘電率を有する。これは、材料が、場合によりそれ自体、いくつかの絶縁材料から構成されると言うのに等しい。
【００３８】
第２のスライス３０（この例は図３ａで説明する）には、スライスの厚さを通して一側から他側にスライスを横断する少なくとも１つの電気絶縁ゾーン６１と、このゾーン６１においてこのスライスを横断する少なくとも１つの導電性要素３と、が含まれる。この横断要素３は、第１のスライス１０の突起部のセット４を収容するように意図されている。これらの突起部を収容するように意図されたスライスのフェース３０２は、収容フェースと呼ばれる。一実施形態によれば、このフェース３０２には、場合により少なくとも１つの導電性トラックが含まれる。
【００３９】
本発明の変形（この例は図３ｂに示す）によれば、第２のスライス３０は、突起部４１の少なくとも１つのセット４を、収容フェースに対向するフェース３０１に含む。突起部４１は、図３ｂの参照符号３ａによって示すように直接にか、または導電性トラック７を介して、横断要素３に接続される。この第２のスライス３０には、場合により、１つ（または複数の）電子部品１が含まれるが、この電子部品１は、導電性トラック７を介して、別の電子部品１におよび／または横断要素３におよび／または突起部のセット４に接続される接続要素２が設けられる。
【００４０】
この第２のスライスは、その突起部４１および／またはその導電性トラック７を介して、３Ｄモジュールの相互接続要素に接続されるように意図することができる。
【００４１】
図４に関連して説明する別の実施形態によれば、３Ｄモジュールの積み重ね１００には、これらの第１および第２のスライス１０および３０に加えて、少なくとも１つの中間スライス２０が含まれるが、この中間スライス２０は、それ自体、電気絶縁材料のゾーン６１を横断する少なくとも１つの導電性要素３を備えられている。第２のスライス３０の説明と類似の方法で、このスライス２０には、収容フェースと、この収容フェースに対向するフェース２１と、が含まれる。要素３は、それ自体、このスライスのフェース２１の導電性トラック７に接続される。このスライスには、場合により、部品１および／または突起部４１が含まれる。この中間スライスは、第２のスライスに対しては第１のスライスであり、かつ／または第１のスライスに対しては第２のスライスである。
【００４２】
本発明による３Ｄモジュールには、典型的には２〜１００のスライスが含まれる。スライスは、厚さが２５μｍ〜３ｍｍである。もちろん、３Ｄモジュールは、それ自体、別の３Ｄモジュールにかまたは他の相互接続媒体に接続されるように意図されている。
【００４３】
横断要素３は、材料、すなわち、あるスライスの突起部４１が横断要素に容易に貫入するために印加される圧力を最小限にできるようにする硬度の材料から構成される。横断要素の材料の硬度は、突起部４１の材料の硬度より小さい。この横断要素３は、固体であるが、たとえば、円形、矩形、または他の断面の柱形状を有する。断面は、フェース１０１か３０１かまたは２１の平面にある。その面積は、１０〜２５００μｍ2である。
【００４４】
この要素３には、たとえば、金属もしくは金属合金、または導電性接着剤もしくは導電性ポリマーが含まれる。金属または金属合金は、酸化しないのが好ましい。この金属は、金またはパラジウムとすることができるが、これらの金属には、低硬度であるという利点がある。この硬度は、適応させることができる。
【００４５】
突起部４１は、たとえば、高さが２〜２００μｍである。突起部は、たとえば、円形、矩形、もしくは他の断面の柱形状か、円錐形状か、またはピラミッド形状を有する。フェース１０１か３０１かまたは２１の平面において考えられる断面の最大長さは、約５〜５０μｍである。突起部は、たとえばニッケルで構成される。それらは、たとえば金またはパラジウムで覆われるのが好ましく、かくして硬い先端を形成する。突起部４１のセット４には、１〜５００の突起部が含まれる。
【００４６】
ここで、要素３の接触面と共に突起部のセット４の接触面を考える。できれば、突起部の数は、これらの突起部の全てが共に、それらのベースにおいて、要素３の面積より小さい面積を示すように選択されるのが好ましい。先行技術におけるような精度で一方のチップをもう一方のチップ上に配置する必要がある場合より、一方のスライスをもう一方のスライス上に位置決めする際のより優れた許容範囲が、この方法で得られる。
【００４７】
３Ｄモジュールを作製するために、スライスは、互いに加圧される。この段階中に、硬い先端を備えた突起部４１は、それらに面しかつそれらの硬度より低い硬度を有する横断要素３に貫入し、かくして、２つのスライス間に電気接触をもたらす。したがって、もはや、天然の硬いアルミニウム層を横断する必要はない。したがって、圧力を低減することができ、部品１は、この段階中に、ひび割れの危険にさらされない。さらに、突起部４１が、部品１に対してオフセットされる場合に、部品１は、ひび割れする危険がさらにより少ない。
【００４８】
横断要素の材料、この例では金またはパラジウムが、突起部を覆う材料と同じである場合には、望ましくない経年変化および脆弱であるという不都合を有する金属間生成物がない。したがって、接続の信頼性が向上される。
【００４９】
本発明による３Ｄモジュールには、電磁遮蔽部を備えることができる。
【００５０】
さらに、この３Ｄモジュールは、当業者には周知の従来の大量生産技術を用いて製造することができる。
【図面の簡単な説明】
【００５１】
【図１】既に説明したが、先行技術による３Ｄモジュールのスライスの図である。
【図２】本発明による３Ｄモジュールの第１のスライスの例における図である。
【図３ａ−３ｂ】本発明による３Ｄモジュールの第２のスライスの２つの例における図である。
【図４】３つのスライスを含む、本発明による３Ｄ電子モジュールの例における図である。
【図１】
2009517877.tif 000003
【図２】
2009517877.tif 000004
【図３ａ】
2009517877.tif 000005
【図３ｂ】
2009517877.tif 000006
【図４】
2009517877.tif 000007
【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
少なくとも第１のスライス（１０）および第２のスライス（３０）の積み重ね（１００）を含み、スライスが、前記スライスの１つのフェース（１０１）に電気接続要素（２）を備えたいくつかの電子部品（１）を含む、３Ｄ電子モジュールであって、前記第１のスライス（１０）が、前記フェース（１０１）に導電性突起部（４１）の少なくとも１つのセット（４）と、少なくとも１つの導電性トラック（７）とを有することと、少なくとも１つの接続要素（２）が、導電性トラック（７）を介して突起部（４１）のセット（４）に接続されることと、前記第１のスライス（１０）が、２つの電子部品の間に、前記スライスの厚さを横断する、電気絶縁材料の少なくとも１つのゾーン（６１）を含むことと、前記第２のスライス（３０）が、前記スライスの厚さを横断する、電気絶縁材料の少なくとも１つのゾーン（６１）と、電気絶縁材料のゾーン（６１）において前記スライスを横断する少なくとも１つの導電性要素（３）とを含むことと、前記横断要素（３）および前記突起部（４１）が、それぞれ特定の硬度を有する材料によって構成され、前記第１のスライス（１０）の突起部（４１）のセット（４）が前記第２のスライス（３０）の横断要素（３）に埋め込まれるように、前記横断要素（３）の前記材料の硬度が、前記突起部（４１）の前記材料の硬度より小さいこととを特徴とする３Ｄ電子モジュール。
【請求項２】
前記第１のスライス（１０）が、前記第１のスライス（１０）の突起部（４１）のセット（４）に接続された、ゾーン（６１）において前記スライスを横断する少なくとも１つの導電性要素（３）を含むことを特徴とする、請求項１に記載の３Ｄ電子モジュール。
【請求項３】
前記第１のスライス（１０）が、突起部を有する前記フェース（１０１）に対向する別のフェースを有することと、このスライス（１０）が、前記スライスを横断する導電性要素（３）に接続された少なくとも１つの導電性トラックを、そのもう一方のフェースに含むこととを特徴とする、請求項１または２に記載の３Ｄ電子モジュール。
【請求項４】
前記第２のスライス（３０）が、前記第１のスライスの突起部の前記セット（４）を収容することができる、収容フェースと呼ばれるフェースを有し、前記第２のスライス（３０）が、横断要素（３）に接続された少なくとも１つの導電性トラック（７）を、前記収容フェースに対向するフェース（３０１）に有することを特徴とする、請求項１〜３のいずれか一項に記載の３Ｄ電子モジュール。
【請求項５】
前記第２のスライス（３０）が、少なくとも１つの電子部品（１）であって、前記対向フェース（３０１）に前記部品の電気接続要素（２）を備えた少なくとも１つの電子部品（１）を含むことを特徴とする、請求項１〜４に記載の３Ｄ電子モジュール。
【請求項６】
前記第２のスライス（３０）の導電性トラック（７）が、前記スライス（３０）の前記部品の前記接続要素（２）に接続されることを特徴とする、請求項１〜５に記載の３Ｄ電子モジュール。
【請求項７】
前記第２のスライス（３０）が、前記対向フェース（３０１）に位置しかつ前記スライスの少なくとも１つの導電性トラック（７）に接続された導電性突起部の少なくとも１つのセット（４）を含むことを特徴とする、請求項１〜６のいずれか一項に記載の３Ｄ電子モジュール。
【請求項８】
前記第１のスライス（１０）および第２のスライス（３０）の間に位置する少なくとも１つの中間スライス（２０）であって、電気絶縁材料の少なくとも１つのゾーン（６１）と、前記ゾーンを横断する、導電性材料の少なくとも１つの要素（３）と、導電性突起部の少なくとも１つのセット（４）を含む少なくとも１つの中間スライス（２０）をさらに含み、この中間スライスは、第２のスライスに対しては第１のスライスであり、かつ／または第１のスライスに対しては第２のスライスであることを特徴とする、請求項１〜７のいずれか一項に記載の３Ｄ電子モジュール。
【請求項９】
前記中間スライス（２０）が、少なくとも１つの部品（１）および／または少なくとも１つの導電性トラック（７）をさらに含むことを特徴とする、請求項１〜８に記載の３Ｄ電子モジュール。
【請求項１０】
前記横断要素（３）が、金属もしくは金属合金、または導電性接着剤もしくは導電性ポリマーを含むことを特徴とする、請求項１〜９のいずれか一項に記載の３Ｄ電子モジュール。
【請求項１１】
前記金属または前記金属合金が、酸化しないことを特徴とする、請求項１〜１０に記載の３Ｄ電子モジュール。
【請求項１２】
前記金属が、金またはパラジウムであることを特徴とする、請求項１〜１１に記載の３Ｄ電子モジュール。
【請求項１３】
前記横断要素（３）が、固体であることを特徴とする、請求項１〜１２のいずれか一項に記載の３Ｄ電子モジュール。
【請求項１４】
前記突起部（４１）が、ニッケルを含むことを特徴とする、請求項１〜１３のいずれか一項に記載の３Ｄ電子モジュール。
【請求項１５】
前記突起部（４１）の表面が、金またはパラジウムで作製されることを特徴とする、請求項１〜１４のいずれか一項に記載の３Ｄ電子モジュール。
【請求項１６】
前記接続要素（２）が、パッドかワイヤかまたは接続ボールであることを特徴とする、請求項１〜１５のいずれか一項に記載の３Ｄ電子モジュール。
【請求項１７】
前記突起部（４１）が、５〜２００μｍの高さを有することを特徴とする、請求項１〜１６のいずれか一項に記載の３Ｄ電子モジュール。
【請求項１８】
前記突起部（４１）が、１０〜２５００μm2の断面を有することを特徴とする、請求項１〜１７のいずれか一項に記載の３Ｄ電子モジュール。
【請求項１９】
前記横断要素（３）が、直径が１００μｍにほぼ等しいおおむね円形の断面（３１または３２）を有することを特徴とする、請求項１〜１８のいずれか一項に記載の３Ｄ電子モジュール。
【請求項２０】
前記電子部品（１）が、能動または受動部品であることを特徴とする、請求項１〜１９のいずれか一項に記載の３Ｄ電子モジュール。
【請求項２１】
前記電子部品（１）が、センサまたはアクチュエータであることを特徴とする、請求項１〜２０のいずれか一項に記載の３Ｄ電子モジュール。
【請求項２２】
突起部のセット（４）が、１〜５００の突起部（４１）を含むことを特徴とする、請求項１〜２１のいずれか一項に記載の３Ｄ電子モジュール。
【請求項２３】
前記絶縁材料（６）が、ポリマーであることを特徴とする、請求項１〜２２のいずれか一項に記載の３Ｄ電子モジュール。
【請求項２４】
絶縁材料の前記ゾーン（６１）が、前記横断導電性要素（３）の周りで局所的に誘電率を適合させるために、異なる誘電率を有するいくつかの絶縁材料を含むことを特徴とする、請求項１〜２３のいずれか一項に記載の３Ｄ電子モジュール。
【請求項２５】
２〜１００のスライスを含むことを特徴とする、請求項１〜２４のいずれか一項に記載の３Ｄ電子モジュール。
【請求項２６】
スライスが、２５μｍ〜３ｍｍの厚さを有することを特徴とする、請求項１〜２５のいずれか一項に記載の３Ｄ電子モジュール。
【国際調査報告】
2009517877.tif 000008
2009517877.tif 000009
2009517877.tif 000010
2009517877.tif 000011
2009517877.tif 000012
2009517877.tif 000013